(57)【要約】【課題】本発明は、帯域の換算に伴って発生する誤差の影響を抑制しユーザの帯域要求を適切に反映することが可能な無線通信システムの帯域設定方法を提供することを目的とする。【解決手段】無線基地局装置と無線端末装置とユーザ端末装置と管理装置とで構成される無線通信システムにおいて、無線端末装置が換算定数Ａを用いて要求帯域Ｒｒを要求時間単位数Ｆｒと要求データ単位数Ｎｒの組み合わせに換算してから無線基地局装置に帯域要求し、無線基地局装置が設定帯域Ｒｓを（Ｒｓ＝Ａ×Ｎｓ／Ｆｓ）として実際に割り当てる場合に、無線端末装置が要求時間単位数Ｆｒを確定した後（Ｒｒ≦Ａ×Ｎｒ／Ｆｒ）の条件を満たす最小の整数に要求データ単位数Ｎｒを定め、無線基地局装置は（Ｒｂ≧Ａ×Ｎｒ／Ｆｒ）の条件を満たす場合は、設定データ単位数Ｎｓを要求データ単位数Ｎｒと同じ値に定め、設定時間単位数Ｆｓを要求時間単位数Ｆｒと同じ値に定める。【選択図】      図１
2004260268.tif 000002
【特許請求の範囲】
【請求項１】
無線基地局装置と、無線端末装置と、ユーザ端末装置と管理装置とで構成され、前記無線基地局装置及び無線端末装置はそれらの間で無線回線を介してデータの送受信を行うための無線コネクションを確立する機能を有し、前記管理装置は前記無線基地局装置に対して前記無線コネクションの上限帯域Ｒｂを定める機能を有し、前記ユーザ端末装置は前記無線コネクションを確立する際に、指定されたユーザの要求帯域Ｒｒを前記無線端末装置に通知し、前記無線端末装置は前記要求帯域Ｒｒを、一定長の時間を表す時間単位の数である要求時間単位数Ｆｒと、一定量のデータサイズを表すデータ単位の数である要求データ単位数Ｎｒとの組み合わせに変換して前記無線基地局装置に送信し、前記無線基地局装置は、受信した前記要求時間単位数Ｆｒと要求データ単位数Ｎｒとの組み合わせと、前記上限帯域Ｒｂとを比較した結果に応じて、前記無線コネクションに割り当てられる帯域に関連する設定時間単位数Ｆｓと設定データ単位数Ｎｓとを決定し、前記単位時間あたりに前記データ単位を送信する速度を換算定数Ａとして用い、前記無線コネクションに実際に割り当てる設定帯域Ｒｓを
Ｒｓ＝Ａ×Ｎｓ／Ｆｓ
に従って定める無線通信システムを制御するための無線通信システムの帯域設定方法において、
前記無線端末装置で前記要求時間単位数Ｆｒを確定した後、前記要求データ単位数Ｎｒを
Ｒｒ≦Ａ×Ｎｒ／Ｆｒ
の条件を満たす最小の整数に定め、
前記無線基地局装置は、
Ｒｂ≧Ａ×Ｎｒ／Ｆｒ
の条件を満たす場合には、前記設定データ単位数Ｎｓを前記要求データ単位数Ｎｒと同じ値に定め、前記設定時間単位数Ｆｓを前記要求時間単位数Ｆｒと同じ値に定めてから前記設定帯域Ｒｓを求める
ことを特徴とする無線通信システムの帯域設定方法。
【請求項２】
請求項１記載の無線通信システムの帯域設定方法において、前記無線基地局装置は、
Ｒｂ＜Ａ×Ｎｒ／Ｆｒ
の条件を満たす場合には、前記設定時間単位数Ｆｓを前記要求時間単位数Ｆｒと同じ値に定め、前記設定データ単位数Ｎｓを
Ｒｂ≦Ａ×Ｎｓ／Ｆｓ
の条件を満たす最小の整数として定めてから前記設定帯域Ｒｓを求める
ことを特徴とする無線通信システムの帯域設定方法。
【請求項３】
請求項１記載の無線通信システムの帯域設定方法において、前記無線基地局装置は、前記設定時間単位数Ｆｓを前記要求時間単位数Ｆｒと同じ値に定め、前記上限帯域Ｒｂに相当するデータ単位数を表す上限データ単位数Ｎｂを（Ｒｂ≦Ａ×Ｎｂ／Ｆｒ）の条件を満たす最小の整数に定め、
（Ｎｂ＜Ｎｒ）の場合には、前記要求帯域Ｒｒが前記上限帯域Ｒｂを超えているとみなして前記無線コネクションの割り当てを省略し、
（Ｎｂ≧Ｎｒ）の場合には、前記設定データ単位数Ｎｓを前記要求データ単位数Ｎｒと同じ値に定めてから前記設定帯域Ｒｓを求める
ことを特徴とする無線通信システムの帯域設定方法。
【請求項４】
請求項１，請求項２及び請求項３の何れかに記載の無線通信システムの帯域設定方法において、前記上限帯域Ｒｂに相当するデータ単位数を表す上限データ単位数Ｎｂ及び前記要求時間単位数Ｆｒを前記無線基地局装置から前記無線端末装置に通知することを特徴とする無線通信システムの帯域設定方法。
【発明の詳細な説明】
【０００１】
【発明の属する技術分野】
本発明は、無線通信システムの無線コネクションに帯域を割り当てるために利用される無線通信システムの帯域設定方法に関する。
【０００２】
【従来の技術】
本発明においては、例えば図２に示すようにユーザ端末装置１０，無線端末装置２０，無線基地局装置３０及び管理装置４０が存在する無線通信システムを用いることを想定している。
無線端末装置２０と無線基地局装置３０との間には、無線回線を形成し、ユーザ端末装置１０が使用するデータを送受信するための無線コネクションが前記無線回線に割り当てられる。
【０００３】
無線端末装置２０と無線基地局装置３０との間では、無線コネクションの帯域を表すパラメータとして、一定長の時間を表す時間単位の数と、一定量のデータを表すデータ単位の数とが用いられる。そして、時間単位数とデータ単位数との比率により帯域の大きさを表現する。
例えば、ＴＤＭＡ（Ｔｉｍｅ  Ｄｉｖｉｓｉｏｎ  Ｍｕｌｔｉｐｌｅ  Ａｃｃｅｓｓ：時分割多元接続）の場合には、フレーム長Ｌ［秒］を時間単位とし、スロットのサイズＳ［ｋｂｉｔ］をデータ量の単位とし、ＦフレームあたりＮ個のスロットを送信するという形で帯域を割り当てることが想定される。この場合の帯域Ｒは次式で表される。
【０００４】
Ｒ＝（Ｎ・Ｓ）／（Ｌ・Ｆ）［ｋｂ／ｓ］      ・・・（１）
また、所定の換算定数Ａを用いると帯域Ｒは次式で表される。
Ｒ＝Ａ・Ｎ／Ｆ［ｋｂ／ｓ］              ・・・（２）
Ａ：Ｓ／Ｌ［ｋｂ／ｓ］
ユーザ端末装置１０は、無線端末装置２０を介して無線基地局装置３０と接続し、無線端末装置２０及び無線基地局装置３０を介して通信を行う。また、無線基地局装置３０を管理するために管理装置４０が接続されている。
【０００５】
ユーザ端末装置１０が無線回線を利用する場合には、無線コネクションの確立時に、ユーザが要求帯域Ｒｒをユーザ端末装置１０に入力する。この要求帯域Ｒｒは、［ｋｂ／ｓ］のような速度の単位で表される。
ユーザ端末装置１０に入力された要求帯域Ｒｒは、無線端末装置２０に通知される。無線端末装置２０は、入力された要求帯域Ｒｒを要求時間単位数Ｆｒと要求データ単位数Ｎｒとの組み合わせに変換する。実際には、次式が成立するような変換を行う。
【０００６】
Ｒｒ＝Ａ・Ｎｒ／Ｆｒ      ・・・（３）
しかし、第（３）式を満たすＮｒ，Ｆｒの組み合わせは複数種類考えられる。しかも、Ｎｒ，Ｆｒは整数であるため変換の際に誤差が発生する。
無線端末装置２０が変換により求めたパラメータＮｒ，Ｆｒは、要求帯域として無線基地局装置３０に通知される。
【０００７】
ところで、このような無線通信システムにおいては各無線コネクションが利用可能な帯域の上限を上限帯域Ｒｂとして予め定めておく。実際には、管理者が事前に管理装置４０に入力した上限帯域Ｒｂの情報が管理装置４０から無線基地局装置３０に通知される。
無線基地局装置３０においては、無線端末装置２０から入力されたパラメータＮｒ，Ｆｒの組み合わせから前記第（３）式に基づいて要求帯域Ｒｒを推定する。そして、要求帯域Ｒｒと上限帯域Ｒｂとを比較し、その比較結果に応じて設定データ単位数Ｎｓ及び設定時間単位数Ｆｓを確定する。
【０００８】
すなわち、推定した要求帯域Ｒｒが上限帯域Ｒｂより小さければ、要求どおり（Ｎｓ＝Ｎｒ，Ｆｓ＝Ｆｒ）として無線コネクションを割り当てる。また、推定した要求帯域Ｒｒが上限帯域Ｒｂより大きい場合には、無線コネクションを割り当てないこととするか、あるいは上限帯域を割り当てる。
後者の場合には、上限帯域Ｒｂに相当するパラメータ（Ｎｓ，Ｆｓ）を、前記第（３）式に基づいて算出し、無線コネクションを割り当てる。
【０００９】
無線基地局装置３０で実際に割り当てられる設定帯域Ｒｓは次式で表される。
Ｒｓ＝Ａ・Ｎｓ／Ｆｓ      ・・・（４）
ところで、前記第（３）式の計算において発生する誤差が無視できる程度のものであれば問題はない。従って、従来はこのような計算誤差については全く考慮せず、変換の際には単に小数点以下の切り捨て又は切り上げを行っている。
【非特許文献１】
ＥＴＳＩ標準仕様書“Ｂｒｏａｄｂａｎｄ  Ｒａｄｉｏ  Ａｃｃｅｓｓ  Ｎｅｔｗｏｒｋ  （ＢＲＡＮ）；  ＨＩＰＥＲＬＡＮ  Ｔｙｐｅ  ２；  Ｄａｔａ  Ｌｉｎｋ  Ｃｏｎｔｒｏｌ  （ＤＬＣ）  Ｌａｙｅｒ；  Ｐａｒｔ  ２：  Ｒａｄｉｏ  Ｌｉｎｋ  Ｃｏｎｔｒｏｌ  （ＲＬＣ）  ｓｕｂｌａｙｅｒ”（ＥＴＳＩ  ＴＳ  １０１  ７６１−２  Ｖ１．３．１，  ２００２−０１），  Ｐ．  １６０−１６３（Ａｎｎｅｘ  Ａ．４．１〜Ａ．４．３），  Ｐ．  １００−１０２（５．３．１．２  ＭＴ  ｉｎｉｔｉａｔｅｄ  ＤＵＣ  Ｓｅｔｕｐ）
【００１０】
【発明が解決しようとする課題】
無線通信システムの動作として、要求帯域Ｒｒと上限帯域Ｒｂとの大小関係を考慮すると、設定帯域Ｒｓに対する要求条件として、次の２つの条件が必要になる。
【００１１】
（＊１）（Ｒｒ≦Ｒｂ）の場合：ＲｓはＲｒとほぼ同じで、（Ｒｓ≧Ｒｒ）となること。これは、要求が上限を超えない限り、要求が拒否されたり、要求を下回る帯域が設定されてはならないという考え方に基づく。
（＊２）（Ｒｒ＞Ｒｂ）の場合：次の２通りが一般的であると言える。
（＊ａ）Ｒｓは、Ｒｂとほぼ同じで、（Ｒｓ≧Ｒｂ）となること。これは、ユーザの意図に反して設定される帯域が上限帯域を下回ることは避けたいという考え方に基づく。
【００１２】
（＊ｂ）無線コネクションを設定しないこと。
しかし、従来のように誤差を考慮せずに、単に少数点以下切り捨て又は切り上げをしてパラメータＮｒ，Ｎｓを決定する場合には、上記（＊１），（＊２）の条件を満たすことはできない。以下に具体例を示す。
ここでは、時間単位を０．００１秒とし、データ単位を６０ビットとし、換算定数については（Ａ＝６０［ｋｂ／ｓ］）とし、要求時間単位数については（Ｆｒ＝１０）の場合を想定する。
【００１３】
［例１］：前記（＊１）の条件を適用し、（Ｒｒ＝５００ｋｂ／ｓ），（Ｒｂ＝５２０ｋｂ／ｓ）とし、小数点以下を切り捨てる場合を想定する。この場合、無線端末装置２０において、要求データ単位数は前記第（３）式の結果から少数点以下を切り捨てることにより、（Ｎｒ＝８３）と変換される。
このパラメータＮｒが無線基地局装置３０に通知されるが、無線基地局装置３０は（Ｒｒ＝４９８ｋｂ／ｓ）であると推定する。これは上限帯域以内であるため、（Ｎｓ＝Ｎｒ，Ｆｓ＝Ｆｒ）となり、前記第（４）式に基づいて（Ｒｓ＝４９８ｋｂ／ｓ）と設定される。
【００１４】
しかし、この場合には（Ｒｓ＜Ｒｒ）であり、前記（＊１）の要求条件を満たさない。
［例２］：前記（＊１）の条件を適用し、（Ｒｒ＝５００ｋｂ／ｓ，Ｒｂ＝５０２ｋｂ／ｓ）とし、小数点以下切り上げをする場合を想定する。このとき、無線端末装置２０において、前記第（３）式の結果から小数点以下を切り上げることにより、（Ｎｒ＝８４）となる。
【００１５】
このパラメータＮｒが無線基地局装置３０に通知される。無線基地局装置３０は、（Ｒｒ＝５０４ｋｂ／ｓ）と推定する。このような場合、無線基地局装置３０では要求帯域が上限帯域を超えていると判断し、無線コネクションが設定されないことが考えられるため、問題である。
［例３］：前記（＊２）の条件を適用し、（Ｒｒ＝５００ｋｂ／ｓ，Ｒｂ＝４９１ｋｂ／ｓ）とし、小数点以下切り上げをする場合を想定する。このとき、無線基地局装置３０において、（Ｒｒ＞Ｒｂ）と判断される。
【００１６】
（＊ａ）の条件では、Ｒｂに相当するＮｓ，Ｆｓを算出することになる。Ｆｓ＝Ｆｒとする。Ｎｓは、前記第（４）式の結果から小数点以下を切り捨てると、（Ｎｓ＝８１）となる。
このとき、設定帯域は（Ｒｓ＝４８６ｋｂ／ｓ）となる。従って（Ｒｓ＜Ｒｂ）となり、（＊ａ）の条件を満たさないことになる。
【００１７】
すなわち、従来の方法では帯域の換算に伴う誤差によって、要求帯域が上限帯域以下であるのに、要求帯域未満の帯域が設定されたり要求が拒否されたりすることがある。あるいは、要求帯域が上限帯域を超える場合に、上限帯域を設定すべきところで上限帯域未満の帯域が設定されることがある。
本発明は、帯域の換算に伴って発生する誤差の影響を抑制し、ユーザの帯域要求を適切に反映することが可能な無線通信システムの帯域設定方法を提供することを目的とする。
【００１８】
【課題を解決するための手段】
請求項１は、無線基地局装置と、無線端末装置と、ユーザ端末装置と管理装置とで構成され、前記無線基地局装置及び無線端末装置はそれらの間で無線回線を介してデータの送受信を行うための無線コネクションを確立する機能を有し、前記管理装置は前記無線基地局装置に対して前記無線コネクションの上限帯域Ｒｂを定める機能を有し、前記ユーザ端末装置は前記無線コネクションを確立する際に、指定されたユーザの要求帯域Ｒｒを前記無線端末装置に通知し、前記無線端末装置は前記要求帯域Ｒｒを、一定長の時間を表す時間単位の数である要求時間単位数Ｆｒと、一定量のデータサイズを表すデータ単位の数である要求データ単位数Ｎｒとの組み合わせに変換して前記無線基地局装置に送信し、前記無線基地局装置は、受信した前記要求時間単位数Ｆｒと要求データ単位数Ｎｒとの組み合わせと、前記上限帯域Ｒｂとを比較した結果に応じて、前記無線コネクションに割り当てられる帯域に関連する設定時間単位数Ｆｓと設定データ単位数Ｎｓとを決定し、前記単位時間あたりに前記データ単位を送信する速度を換算定数Ａとして用い、前記無線コネクションに実際に割り当てる設定帯域Ｒｓを（Ｒｓ＝Ａ×Ｎｓ／Ｆｓ）に従って定める無線通信システムを制御するための無線通信システムの帯域設定方法において、前記無線端末装置で前記要求時間単位数Ｆｒを確定した後、前記要求データ単位数Ｎｒを（Ｒｒ≦Ａ×Ｎｒ／Ｆｒ）の条件を満たす最小の整数に定め、前記無線基地局装置は、（Ｒｂ≧Ａ×Ｎｒ／Ｆｒ）の条件を満たす場合には、前記設定データ単位数Ｎｓを前記要求データ単位数Ｎｒと同じ値に定め、前記設定時間単位数Ｆｓを前記要求時間単位数Ｆｒと同じ値に定めてから前記設定帯域Ｒｓを求めることを特徴とする。
【００１９】
請求項１においては、前記要求帯域Ｒｒが上限帯域Ｒｂ以下であれば、実際に割り当てられる設定帯域が前記要求帯域Ｒｒ以上になる。従って、前述の（＊１）の条件を満たすことができる。
請求項２は、請求項１記載の無線通信システムの帯域設定方法において、前記無線基地局装置は、Ｒｂ＜Ａ×Ｎｒ／Ｆｒの条件を満たす場合には、前記設定時間単位数Ｆｓを前記要求時間単位数Ｆｒと同じ値に定め、前記設定データ単位数ＮｓをＲｂ≦Ａ×Ｎｓ／Ｆｓの条件を満たす最小の整数として定めてから前記設定帯域Ｒｓを求めることを特徴とする。
【００２０】
請求項２においては、前記要求帯域Ｒｒが前記上限帯域Ｒｂを超える場合であっても、実際に割り当てられる設定帯域が前記上限帯域Ｒｂ未満になるのを防ぐことができる。
更に、前記要求帯域Ｒｒが前記上限帯域Ｒｂ以下であるにもかかわらず、前記無線端末装置における変換により、（上限帯域Ｒｂ＜換算定数Ａ×要求データ単位数Ｎｒ／要求時間単位数Ｆｒ）となった場合であっても、実際に割り当てられる設定帯域を、前記要求帯域Ｒｒ以上にすることができる。従って、前述の（＊１）の条件及び（＊ａ）の条件を満たすことができる。
【００２１】
請求項３は、請求項１記載の無線通信システムの帯域設定方法において、前記無線基地局装置は、前記設定時間単位数Ｆｓを前記要求時間単位数Ｆｒと同じ値に定め、前記上限帯域Ｒｂに相当するデータ単位数を表す上限データ単位数Ｎｂを（Ｒｂ≦Ａ×Ｎｂ／Ｆｒ）の条件を満たす最小の整数に定め、（Ｎｂ＜Ｎｒ）の場合には、前記要求帯域Ｒｒが前記上限帯域Ｒｂを超えているとみなして前記無線コネクションの割り当てを省略し、（Ｎｂ≧Ｎｒ）の場合には、前記設定データ単位数Ｎｓを前記要求データ単位数Ｎｒと同じ値に定めてから前記設定帯域Ｒｓを求めることを特徴とする。
【００２２】
請求項３においては、要求帯域Ｒｒが上限帯域Ｒｂを超えている場合のみ無線コネクションに対する帯域割当が省略され、（Ｒｒ≦Ｒｂ）の場合には（Ｒｓ≧Ｒｒ）の関係を満たすように無線コネクションに対する帯域が割り当てられる。従って、前述の（＊１）の条件及び（＊ｂ）の条件を満たすことができる。
請求項４は、請求項１，請求項２及び請求項３の何れかに記載の無線通信システムの帯域設定方法において、前記上限帯域Ｒｂに相当するデータ単位数を表す上限データ単位数Ｎｂ及び前記要求時間単位数Ｆｒを前記無線基地局装置から前記無線端末装置に通知することを特徴とする。
【００２３】
請求項４においては、無線端末装置は無線基地局装置から通知されるＮｂ，Ｆｒに基づいて、無線基地局装置が割り当て可能な最大帯域を把握することができる。すなわち、要求帯域が（Ａ×Ｎｂ／Ｆｒ）であれば、最大の帯域の割り当てが可能になることを認識できる。
【００２４】
【発明の実施の形態】
（第１の実施の形態）
本発明の無線通信システムの帯域設定方法の１つの実施の形態について図１〜図３を参照して説明する。この形態は請求項１及び請求項２に相当する。
【００２５】
図１は無線通信システムの動作（１）を示すフローチャートである。図２は無線通信システムの構成例を示すブロック図である。図３はシステム全体の動作を示すシーケンス図である。
この形態では、図２に示すような無線通信システムに本発明を適用する場合を想定している。この無線通信システムは、ユーザ端末装置１０，無線端末装置２０，無線基地局装置３０及び管理装置４０で構成されている。
【００２６】
実際には、例えばＡＲＩＢ標準のＨｉＳＷＡＮａあるいはＥＴＳＩ−ＢＲＡＮ標準のＨｉｐｅｒＬＡＮ２の無線通信システムに本発明を適用することが想定される。
【００２７】
図２に示す無線端末装置２０と無線基地局装置３０との間には、無線回線を形成し、ユーザ端末装置１０が使用するデータを送受信するための無線コネクションが前記無線回線に割り当てられる。
無線端末装置２０と無線基地局装置３０との間では、無線コネクションの帯域を表すパラメータとして、一定長の時間を表す時間単位の数と、一定量のデータを表すデータ単位の数とが用いられる。そして、時間単位数とデータ単位数との比率により帯域の大きさを表現する。
【００２８】
例えば、ＴＤＭＡの場合には、フレーム長Ｌ［秒］を時間単位とし、スロットのサイズＳ［ｋｂｉｔ］をデータ量の単位とし、ＦフレームあたりＮ個のスロットを送信するという形で帯域を割り当てることが想定される。この場合の帯域Ｒは次式で表される。
Ｒ＝（Ｎ・Ｓ）／（Ｌ・Ｆ）［ｋｂ／ｓ］      ・・・（５）
また、所定の換算定数Ａを用いると帯域Ｒは次式で表される。
【００２９】
Ｒ＝Ａ・Ｎ／Ｆ［ｋｂ／ｓ］              ・・・（６）
Ａ：Ｓ／Ｌ［ｋｂ／ｓ］
ユーザ端末装置１０は、無線端末装置２０を介して無線基地局装置３０と接続し、無線端末装置２０及び無線基地局装置３０を介して通信を行う。また、無線基地局装置３０を管理するために管理装置４０が接続されている。
【００３０】
ユーザ端末装置１０が無線回線を利用する場合には、無線コネクションの確立時に、ユーザが要求帯域Ｒｒをユーザ端末装置１０に入力する。この要求帯域Ｒｒは、［ｋｂ／ｓ］のような速度の単位で表される。
ユーザ端末装置１０に入力された要求帯域Ｒｒは、無線端末装置２０に通知される。無線端末装置２０は、入力された要求帯域Ｒｒを要求時間単位数Ｆｒと要求データ単位数Ｎｒとの組み合わせに変換する。実際には、次式が成立するような変換を行う。
【００３１】
Ｒｒ＝Ａ・Ｎｒ／Ｆｒ      ・・・（７）
しかし、第（７）式を満たすＮｒ，Ｆｒの組み合わせは複数種類考えられる。しかも、Ｎｒ，Ｆｒは整数であるため変換の際に誤差が発生する。
無線端末装置２０が変換により求めたパラメータＮｒ，Ｆｒは、要求帯域として無線基地局装置３０に通知される。
【００３２】
また、この無線通信システムにおいては各無線コネクションが利用可能な帯域の上限を上限帯域Ｒｂとして予め定めておく。実際には、管理者が事前に管理装置４０に入力した上限帯域Ｒｂの情報が管理装置４０から無線基地局装置３０に通知される。
無線基地局装置３０においては、無線端末装置２０から入力されたパラメータＮｒ，Ｆｒの組み合わせから前記第（７）式に基づいて要求帯域Ｒｒを推定する。そして、要求帯域Ｒｒと上限帯域Ｒｂとを比較し、その比較結果に応じて設定データ単位数Ｎｓ及び設定時間単位数Ｆｓを確定する。
【００３３】
すなわち、推定した要求帯域Ｒｒが上限帯域Ｒｂより小さければ、要求どおり（Ｎｓ＝Ｎｒ，Ｆｓ＝Ｆｒ）として無線コネクションを割り当てる。また、推定した要求帯域Ｒｒが上限帯域Ｒｂより大きい場合には、無線コネクションを割り当てないこととするか、あるいは上限帯域を割り当てる。
後者の場合には、上限帯域Ｒｂに相当するパラメータ（Ｎｓ，Ｆｓ）を、前記第（７）式に基づいて算出し、無線コネクションを割り当てる。
【００３４】
無線基地局装置３０で実際に割り当てられる設定帯域Ｒｓは次式で表される。
Ｒｓ＝Ａ・Ｎｓ／Ｆｓ      ・・・（８）
しかしながら、前記第（７）式の計算において発生する誤差は無視できない大きさになる場合がある。このような計算誤差の影響を抑制するために、この形態では無線コネクションを確立する際に、図１に示すような動作を無線端末装置２０及び無線基地局装置３０が行う。
【００３５】
以下、図１に示す動作について説明する。
無線基地局装置３０は、事前に管理装置４０の管理者によって定められた上限帯域Ｒｂの情報を管理装置４０から取得する（Ｓ２１）。
一方、ユーザ端末装置１０のユーザが無線端末装置２０と無線基地局装置３０との間の無線回線に関する無線コネクションの帯域割当を受けようとする場合には、例えばユーザがユーザ端末装置１０に必要な帯域の値を要求帯域Ｒｒとして入力する。この場合、ユーザ端末装置１０は要求帯域Ｒｒを無線端末装置２０に転送する。
【００３６】
無線端末装置２０においては、ユーザ端末装置１０からの要求帯域Ｒｒを受信すると、ステップＳ１１からＳ１２の処理に進む。ステップＳ１２では、無線端末装置２０は予め定められた換算定数Ａの値を取得する。
次のステップＳ１３では、無線端末装置２０は要求帯域Ｒｒに相当するパラメータのうち、一定長の時間を表す要求時間単位数Ｆｒを確定する。
【００３７】
ステップＳ１４では、無線端末装置２０は要求帯域Ｒｒに相当するパラメータのうち、一定量のデータサイズを表す要求データ単位数Ｎｒを決定する。すなわち、次の関係式の条件を満たす最小の整数を要求データ単位数Ｎｒに割り当てる。
Ｒｒ≦Ａ・Ｎｒ／Ｆｒ      ・・・（９）
ステップＳ１５では、無線端末装置２０は決定した要求時間単位数Ｆｒ及び要求データ単位数Ｎｒを無線基地局装置３０に送信する。
【００３８】
無線基地局装置３０においては、帯域要求パラメータである無線端末装置２０からの要求時間単位数Ｆｒ及び要求データ単位数Ｎｒを受信すると、ステップＳ２２からＳ２３の処理に進む。
ステップＳ２３では、上限帯域Ｒｂと要求帯域である（Ａ・Ｎｒ／Ｆｒ）とを比較する。そして、（Ｒｂ≧（Ａ・Ｎｒ／Ｆｒ））の場合にはステップＳ２４に進み、（Ｒｂ＜（Ａ・Ｎｒ／Ｆｒ））の場合にはステップＳ２５に進む。
【００３９】
ステップＳ２４では、要求の通りに帯域を割り当てるようにパラメータを決定する。すなわち、割り当てる帯域の時間単位数を表す設定時間単位数Ｆｓを要求時間単位数Ｆｒと同じ値に定め、割り当てる帯域のデータ単位数を表す設定データ単位数Ｎｓを要求データ単位数Ｎｒと同じ値に定める。
一方、（Ｒｂ＜（Ａ・Ｎｒ／Ｆｒ））の場合にはステップＳ２５で設定時間単位数Ｆｓを要求時間単位数Ｆｒと同じ値に定め、次のステップＳ２６で次の関係式を満たす最小の整数を設定データ単位数Ｎｓに定める。
【００４０】
Ｒｂ≦Ａ・Ｎｓ／Ｆｓ
そして、ステップＳ２７で上記パラメータＦｓ，Ｎｓを無線端末装置２０に通知し、ステップＳ２８で次式に従って帯域Ｒｓを割り当て、無線コネクションを確立する。
Ｒｓ＝Ａ・Ｎｓ／Ｆｓ      ・・・（１０）
無線端末装置２０においては、無線基地局装置３０からのパラメータＦｓ，Ｎｓを受信するとステップＳ１６からＳ１７に進んで帯域Ｒｓを求め、無線基地局装置３０との間で通信コネクションを確立する。また、無線端末装置２０はステップＳ１８でユーザ端末装置１０に対して設定帯域Ｒｓを通知する。
【００４１】
ここで、具体例としてＲｒ＝５００［ｋｂ／ｓ］，Ｒｂ＝５２０［ｋｂ／ｓ］の場合を想定する。この場合、Ｎｒ＝８４，Ｆｒ＝１０となり、無線基地局装置３０における要求帯域の推定値である（Ａ・Ｎｒ／Ｆｒ）が５０４［ｋｂ／ｓ］となり、（５０４［ｋｂ／ｓ］≦Ｒｂ）であるためステップＳ２４が実行され、（Ｎｓ＝Ｎｒ，Ｆｓ＝Ｆｒ）となる。
【００４２】
従って、実際に割り当てられる帯域Ｒｓは（Ａ・Ｎｓ／Ｆｓ＝５０４［ｋｂ／ｓ］）であり、（Ｒｓ≧Ｒｒ）となる。すなわち、前述の（＊１）の条件が満たされる。
もう１つの具体例として、Ｒｒ＝５００［ｋｂ／ｓ］，Ｒｂ＝５０２［ｋｂ／ｓ］の場合を想定する。この場合、Ｎｒ＝８４，Ｆｒ＝１０となり、無線基地局装置３０における要求帯域の推定値である（Ａ・Ｎｒ／Ｆｒ）が５０４［ｋｂ／ｓ］となり、上限帯域Ｒｂを超えていると見なされる。
【００４３】
従って、ステップＳ２５，Ｓ２６が実行される。この場合、（Ｆｓ＝Ｆｒ）とすると、（Ｎｓ／Ｆｓ≧Ｒｂ）の条件を満たす最小の整数として、設定データ単位数Ｎｓに８４が割り当てられ、設定帯域Ｒｓは５０４［ｋｂ／ｓ］となる。すなわち、（Ｒｓ≧Ｒｒ）であり、前述の（＊１）及び（＊ａ）の条件が満たされる。
【００４４】
ところで、現実のシステムとしては、例えばＡＲＩＢ標準のＨｉＳＷＡＮａあるいはＥＴＳＩ−ＢＲＡＮ標準のＨｉｐｅｒＬＡＮ２の無線通信システムが想定される。
このようなシステムにおいては、無線基地局装置３０に相当するＡＰ（アクセスポイント）と無線端末装置２０に相当するＭＴ（モバイルターミナル）との間でデータの送受信のための無線コネクションを割り当てる。
【００４５】
この割り当てのために、ＡＰ，ＭＴ間で制御メッセージの送受信を行う。このような制御メッセージの送受信によって本発明を実施する場合には、図３に示すようなシーケンスに従って制御することが想定される。
以下、図３の動作について説明する。この例では、無線端末装置２０と無線基地局装置３０との間で帯域を表すためにＬＣＨというデータ単位を用い、またＴＤＭＡフレームを時間単位として用いる。
【００４６】
始めに、無線端末装置２０と無線基地局装置３０との間でアソシエーション処理を行う（Ｓ５１）。これにより、暗号化や認証処理等の事前に必要な処理を終えて接続済み状態になる。
続いてデータの送受信用の無線コネクションの設定が行なわれる。無線コネクションの設定は以下の手順で行なわれる。
【００４７】
まず、無線端末装置２０は（ＲＬＣ−ＳＥＴＵＰ）を送信する（Ｓ５５）。この中で、要求帯域から換算したＬＣＨ数及びフレーム数を無線基地局装置３０に通知する。
無線基地局装置３０では、（ＲＬＣ−ＳＥＴＵＰ）を受信すると（ＲＬＣ−ＣＯＮＮＥＣＴ）を無線端末装置２０に送信する（Ｓ５７）。この中で、ＬＣＨ数やフレーム数の設定値を無線基地局装置３０から無線端末装置２０に提案する。
【００４８】
無線端末装置２０は、無線基地局装置３０からの提案を受け入れる場合、（ＲＬＣ−ＣＯＮＮＥＣＴ）に対してＡＣＫを送信し（Ｓ５９）、これを無線基地局装置３０が受信して無線コネクションが確立される。
この過程で、もしも相手からの要求・提案を受け入れない場合、無線端末装置２０又は無線基地局装置３０は（ＲＬＣ−ＲＥＬＥＡＳＥ）を送信することにより処理を中止する。
【００４９】
なお、ユーザが使用するユーザ端末装置１０はが無線端末装置２０に接続され、また管理者が使用する管理装置４０は所定のネットワークを経由して無線基地局装置３０に接続される。
ユーザ端末装置１０における要求帯域Ｒｒや管理装置４０における上限帯域Ｒｂについては［ｋｂ／ｓ］単位で数値の入力が行われ、それらが無線端末装置２０又は無線基地局装置３０に通知される。そして、無線端末装置２０及び無線基地局装置３０は帯域の変換を行う。
【００５０】
（第２の実施の形態）
本発明の無線通信システムの帯域設定方法のもう１つの実施の形態について図４を参照して説明する。この形態は請求項３に相当する。
図４は無線通信システムの動作（２）を示すフローチャートである。この形態は第１の実施の形態の変形例である。想定する無線通信システムの構成は第１の実施の形態と同じである。また、図４において図１と同じ処理には同じステップ番号を付けて示してある。第１の実施の形態と同じ部分については以下の説明を省略する。
【００５１】
図４に示すように、無線端末装置２０の動作については第１の実施の形態と同一である。
無線基地局装置３０は、要求帯域のパラメータＮｒ，Ｆｒを無線端末装置２０から受信すると、ステップＳ２２からＳ２２Ｂの処理に進む。
ステップＳ２２Ｂでは、上限帯域Ｒｂに相当するデータ単位数として上限データ単位数Ｎｂを定義する。すなわち、（Ｒｂ≦Ａ・Ｎｂ／Ｆｒ）の条件を満たす最小の整数を上限データ単位数Ｎｂに定める。
【００５２】
そして、（Ｎｂ＜Ｎｒ）の場合には（Ｒｒ＞Ｒｂ）であるとみなし、無線基地局装置３０は無線コネクションの割り当てを省略（拒否）する（Ｓ２９）。
一方、（Ｎｂ≧Ｎｒ）の場合には、ステップＳ２３ＢからＳ２４に進み、（Ｆｓ＝Ｆｒ，Ｎｓ＝Ｎｒ）として無線コネクションを割り当てる。すなわち、要求された通りの帯域を割り当てる。
【００５３】
ここで、具体例として（Ｒｒ＝５００［ｋｂ／ｓ］，Ｒｂ＝５０２［ｋｂ／ｓ］）の場合を想定する。図１のような制御では要求帯域の推定値が上限帯域Ｒｂを超えるため、前述の（＊ｂ）を前提とすると無線コネクションが割り当てられず問題がある。
しかし、図４に示す制御の場合には（Ｆｒ＝Ｆｓ＝１０，Ｎｒ＝８４）であり、（Ａ・Ｎｂ／Ｆｓ≧Ｒｂ）となる最小の整数として、上限データ単位数Ｎｂが８４になるため（Ｎｒ≦Ｎｂ）になる。このため、無線コネクションが割り当てられる。
【００５４】
この場合、（Ｎｓ＝８４，Ｒｓ＝５０４［ｋｂ／ｓ］）となり、（Ｒｓ≧Ｒｒ）となるため、前述の（＊１）の条件が満たされる。
なお、要求帯域が上限帯域を超えると判断された場合には、ステップＳ２９で無線基地局装置３０から無線端末装置２０に（ＲＬＣ−ＲＥＬＥＡＳＥ）を送信することにより処理は中止される。
【００５５】
（第３の実施の形態）
本発明の無線通信システムの帯域設定方法のもう１つの実施の形態について図５を参照して説明する。この形態は請求項４に相当する。
図５は無線通信システムの動作（３）を示すフローチャートである。この形態は第２の実施の形態の変形例である。想定する無線通信システムの構成は第１の実施の形態と同じである。また、図５において図４と同じ処理には同じステップ番号を付けて示してある。第２の実施の形態と同じ部分については以下の説明を省略する。
【００５６】
無線基地局装置３０は、無線端末装置２０から要求帯域のパラメータＮｒ，Ｆｒを受け取った後、（Ｎｂ＜Ｎｒ）の場合にはステップＳ２９Ｂに進む。この場合、無線基地局装置３０は上限データ単位数Ｎｂ及び要求時間単位数Ｆｒを無線端末装置２０に通知する。
無線端末装置２０は、無線基地局装置３０から上限データ単位数Ｎｂ及び要求時間単位数Ｆｒを受信すると、ステップＳ３１からＳ３２に進む。そして、Ｎｂ，Ｆｒを上限帯域Ｒｂに変換し、上限帯域Ｒｂをユーザ端末装置１０に通知する。
【００５７】
従って、ユーザは設定可能な最大の帯域（Ｒｂ）の情報を取得できる。
【００５８】
【発明の効果】
以上のように、本発明によれば、ユーザが設定する要求帯域及び管理者が設定する上限帯域と、無線端末装置及び無線基地局装置が扱うパラメータとの単位が異なる場合に、それらを適切に変換しユーザや管理者の要求を満たすことができる。
【００５９】
また、請求項１の発明では、要求帯域が上限帯域以下の場合に、要求帯域以上の帯域を設定できる。
更に、請求項２の発明では、要求帯域が上限帯域を超える場合に、上限帯域以上の帯域が設定されるという効果があり、また、要求帯域が上限帯域以下であるにもかかわらず、無線基地局装置において要求帯域が上限帯域を超えると判断される場合でも、要求帯域以上の帯域が設定されるようにできるという効果がある。
【００６０】
請求項３の発明では、要求帯域が上限帯域を超える場合のみ、無線コネクションを設定しないこととし、要求帯域が上限帯域を超えなければ、要求帯域以上の帯域が設定されるようにできる。また、請求項４の発明では設定可能な最大の帯域を無線端末装置が把握できる。
【図面の簡単な説明】
【図１】無線通信システムの動作（１）を示すフローチャートである。
【図２】無線通信システムの構成例を示すブロック図である。
【図３】システム全体の動作を示すシーケンス図である。
【図４】無線通信システムの動作（２）を示すフローチャートである。
【図５】無線通信システムの動作（３）を示すフローチャートである。
【符号の説明】
１０  ユーザ端末装置
２０  無線端末装置
３０  無線基地局装置
４０  管理装置
【図１】
2004260268.tif 000003
【図２】
2004260268.tif 000004
【図３】
2004260268.tif 000005
【図４】
2004260268.tif 000006
【図５】
2004260268.tif 000007